(57)【要約】【課題】本発明は、電池を収容する電池室を有する機器における電池収容構造、および電池室に収容された電池からの電力により外部との通信を行なう携帯端末に関し、分解時の安全に配慮する。【解決手段】電池２００が装填される電池室１２３を有し、その電池２００が装填された電池室１２３を覆うリアカバー１４０を有する構造であって、２枚の板状部材をネジ止めするネジ止め部１２５のうちの少なくとも１つが、電池室底部であって、しかも、その電池室１２３に電池２００を装填することにより覆われる位置に配備されている。【選択図】      図２
2005005200.tif 000002
【特許請求の範囲】
【請求項１】
重ねられた２枚の板状部材を有し、一方の板状部材に電池を収容する電池室を有するとともに、該電池室を塞ぐ電池カバーを有し、該２枚の板状部材が該電池室を有する板状部材側からネジ止めされてなる電池収容構造において、
前記２枚の板状部材をネジ止めするネジ止め部のうちの少なくとも１つが前記電池室底部であって、該電池室に電池を装填することにより覆われる位置に配備されていることを特徴とする電池収容構造。
【請求項２】
前記電池室底部に、記憶媒体が装着される媒体装着部を有することを特徴とする請求項１記載の電池収容構造。
【請求項３】
電池が装填され該電池からの電力により外部との通信を行なう携帯端末において、
相互に重ねられるとともに一方の板状部材に電池を収容する電池室を有し該一方の板状部材側からネジ止めされた２枚の板状部材を備え、
該２枚の板状部材をネジ止めするネジ止め部のうちの少なくとも１つが、前記電池室底部であって、該電池室に電池を装填することにより覆われる位置に配備されていることを特徴とする携帯端末。
【発明の詳細な説明】
【０００１】
【発明の属する技術分野】
本発明は、電池を収容する電池室を有する機器における電池収容構造、および電池室に収容された電池からの電力により外部との通信を行なう携帯端末に関する。
【０００２】
【従来の技術】
従来より、例えば携帯電話等の携帯端末、あるいはさらに広範な様々な機器が、電池室を有しその電池室に装填された電池から電力供給を受けて動作するように構成されている。
【０００３】
このような機器の中には、例えば携帯電話に代表されるように、薄型化が要求されている機器もあり、そのような機器においては、重ねられた２枚の板状部材を有し、一方の板状部材に電池を収容する電池室を有するとともに、その電池室を塞ぐ電池カバーを有し、それら２枚の板状部材がネジ止めされてなる電池収容構造が好適に採用される（例えば特許文献１、２参照）。
【０００４】
ここで、例えば携帯電話において、特許文献１に示すように、電池室に収容された電池の背面をその携帯電話の外形の一部とする構造が採用されることがあるが、その場合、携帯電話の機種や同じ機種の携帯電話であっても色が異なる毎に異なる種類や異なる色の電池を用意する必要があり、電池が極めてコスト高となってしまうという問題がある。
【０００５】
これを避けるために、例えば特許文献２に示すように、電池室に装填される電池とは別にその電池室を塞ぐ電池カバーを備えた構造も考えられている。
【０００６】
【特許文献１】
特開２００１−８５８６４号公報
【特許文献２】
特開昭６３−３６２６５０号公報
【０００７】
【発明が解決しようとする課題】
このような、電池とは独立した電池蓋を備えた構造において、上記の２枚の板状部材をネジ止めするにあたり、そのネジ止めの場所が問題となる。
【０００８】
特許文献２には、電池室底部にネジ止め部が配置されているが、電池や電池蓋は示されておらず、ネジ止め部と電池あるいは電池蓋との位置関係は不明である。
【０００９】
図４は、従来の携帯電話の一部分の背面と、その背面に設けられた電池室に装填される電池と、その電池室を塞ぐリアカバーとを示す図である。
【００１０】
図４（Ａ）に示す携帯電話の背面には、記憶媒体が装着される媒体装着部１４を電池室１１の底に備えるなど、様々な部品が配備されているが、ここでは、ネジ止め構造について説明する。
【００１１】
図４（Ａ）に示す携帯電話の背面には電池室１１が形成されており、その電池室１１には、図４（Ｃ）に示す電池２０が装填され、さらにその電池２０の上からリアカバー３０が装着される。
【００１２】
ネジ止め部１２は、電池室底部に２カ所と、２カ所のネジキャップ１３で覆われたそのネジキャップ１３の下との合計４カ所にある。
【００１３】
図５は、図４に示す携帯電話の電池室に電池が装填された状態と、装着前のリアカバーを示す図である。
【００１４】
リアカバー３０は、電池室に電池２０を装填した後、電池室の上に乗せて矢印Ｘ方向にスライドさせることにより、電池室を覆った状態に装着される。
【００１５】
図５に示すように、ここに示す従来例では、電池室底部２カ所に設けられたネジ止め部１２は、その電池室に装填された電池２０から食み出した位置に形成されている。
【００１６】
したがって、例えば修理等を行なうにあたり、電池２０を電池室から取り外さなくてもネジ止め部１２のネジを取り外してこの携帯電話を分解することができる。
【００１７】
その場合、内部の回路には電池２０からの電力が供給され続けており、不用意に内部の部品に触れてショートを起こし、正常に動作していた回路部分まで破壊してしまうおそれがある。
【００１８】
本発明は、上記事情に鑑み、分解時の安全に配慮した電池収容構造および携帯端末を提供することを目的とする。
【００１９】
【課題を解決するための手段】
上記目的を達成する本発明の電池収容構造は、重ねられた２枚の板状部材を有し、一方の板状部材に電池を収容する電池室を有するとともに、その電池室を塞ぐ電池カバーを有し、それら２枚の板状部材が電池室を有する板状部材側からネジ止めされてなる電池収容構造において、上記２枚の板状部材をネジ止めするネジ止め部のうちの少なくとも１つが電池室底部であって、その電池室に電池を装填することにより覆われる位置に配備されていることを特徴とする。
【００２０】
本発明の電池収容構造は、２枚の板状部材をネジ止めするネジ止め部のうちの少なくとも１つが電池室底部であって、その電池室に電池を装填することにより覆われる位置に配備されているため、分解にあたっては、電池が電池室から必ず取り外され、電池からの電力供給のない状態で行なわれる。したがってショートなどによる障害の発生が防止される。
【００２１】
ここで、上記本発明の電池収容構造において、上記電池室底部に、記憶媒体が装着される媒体装着部を有していてもよい。
【００２２】
本発明の電池収容構造によれば分解時のショートが防止されるため、媒体装着部に記憶媒体が装着されている状態で分解されても、その記憶媒体に記憶されている重要な情報がそのショートにより破壊されてしまうことも予防される。
【００２３】
また、上記目的を達成する本発明の携帯端末は、電池が装填されその電池からの電力により外部との通信を行なう携帯端末において、相互に重ねられるとともに一方の板状部材に電池を収容する電池室を有しその一方の板状部材側からネジ止めされた２枚の板状部材を備え、それら２枚の板状部材をネジ止めするネジ止め部のうちの少なくとも１つが、電池室底部であって、その電池室に電池を装填することにより覆われる位置に配備されていることを特徴とする。
【００２４】
このような２枚の板状部材を重ねた構造、および分解時のショートが防止された構造は、携帯端末、特に携帯電話に好適な構造である。
【００２５】
【発明の実施の形態】
以下、本発明の実施形態について説明する。
【００２６】
図１は、本発明の一実施形態としての電池収容構造を有する、本発明の携帯端末の一実施形態としての携帯電話の外観斜視図である。
【００２７】
この携帯電話１００は、表示画面１１１、通話口１１２、およびアンテナ１１３などが組み込まれた上部１１０と、キー操作パネル１２１や受話口１２２などが形成された下部１２０とが、ヒンジ１３０で開閉自在に連結された折り畳み式の携帯電話である。この携帯電話１００の上部１１０は、背面側の板状部材１１０Ａと前面側の板状部材１１０Ｂとを重ねた構造を有しており、それら２枚の板状部材１１０Ａ，１１０Ｂはネジ止めにより相互に固定されている。また、これと同様に、この携帯電話１００の下部１２０は背面側の板状部材１２０Ａと前面側の板状部材１２０Ｂとを重ねた構造を有しており、それら２枚の板状部材１２０Ａ，１２０Ｂはネジ止めにより相互に固定されている。それら２枚の板状部材１２０Ａ，１２０Ｂが挟まれた位置には、電池（後述する）からの電力の供給を受けて動作する回路部品が搭載される回路基板（図示せず）が備えられている。
【００２８】
図２は、図１に示す携帯電話１００の下部１２０を構成する背面側の板状部材の背面、その背面に設けられた電池室に装填される電池、およびその電池室を覆うリアカバーを示す図である。
【００２９】
図２（Ａ）に示す、背面側の板状部材１２０Ａの背面には、記憶媒体が装着される装着部１２４が電池室１２３の底部に備えられているなど、様々な部品が配備されているが、ここではそれらの詳細説明は省略し、本実施形態の特徴であるネジ止め構造について説明する。
【００３０】
図２（Ａ）に示す、携帯電話を構成する板状部材１２０Ａの背面には、電池室１２３が形成されており、その電池室１２３には、図２（Ｃ）に示す電池２００が装填され、さらにその電池２００の上から、図２（Ｂ）に示すリアカバー１４０が装着される。
【００３１】
この背面側の板状部材１２０Ａと、図１に示す携帯電話１００の下部１２０の前面側の板状部材１２０Ｂは、それらの板状部材１２０Ａ，１２０Ｂの間に回路基板を挟んだ状態で、背面側の板状部材１２０Ａ側からのネジ止めにより相互に固定されている。
【００３２】
それらの板状部材１２０Ａ，１２０Ｂがネジ止めされるネジ止め部１２５は、電池室１２３の底部に２カ所と、ネジキャップ１３で覆われた、そのネジキャップ１２６の下の２カ所との合計４カ所にある。
【００３３】
図３は、電池室に電池が装填された状態の、背面側の板状部材の背面と、装着前のリアカバーとを示す図である。
【００３４】
図２（Ａ）と図３（Ａ）とを比較すると分かるように、ネジ止め部１２５は電池室１２３に電池２００が装填されることによりその電池２００の下に隠れる位置に設けられている。したがって図１に示す携帯電話１００の下部１２０の２枚の板状部材１２０Ａ，１２０Ｂを分解するには、リアカバー１４０を外すだけでは足りず、電池２００自体を電池室１２３から取り外す必要がある。したがって、それら２枚の板状部材１２０Ａ，１２０Ｂを分解する際には電池２００が必ず取り外された状態にあり、不用意なショートが防止され、装填部１２４に装填された記憶媒体の、そのショートに起因するデータ破壊も防止される。
【００３５】
リアカバー１４０は、電池２００が装填された電池室の上に乗せ、図３に示す矢印Ｙ方向にスライドさせることにより、電池室を塞いだ状態に装着される。
【００３６】
尚、ここでは携帯電話を取り上げて説明したが、本発明は携帯電話にのみ適用されるものではなく、電池が装填されその電池からの電力により外部との通信を行なう機能を有する携帯端末に適用することができ、さらに広範に、２枚の板状部材を重ねてネジ止めされる構造の機器であって、電池が装填されその電池からの電力により動作する機器であれば、全て本発明を適用することができる。
【００３７】
【発明の効果】
以上説明したように、本発明によれば、分解時の回路のショートが効果的に防止される。
【図面の簡単な説明】
【図１】本発明の一実施形態としての電池収容構造を有する、本発明の携帯端末の一実施形態としての携帯電話の外観斜視図である。
【図２】図１に示す携帯電話の下部を構成する背面側の板状部材の背面、その背面に設けられた電池室に装填される電池、およびその電池室を覆うリアカバーを示す図である。
【図３】電池室に電池が装填された状態の、背面側の板状部材の背面と、装着前のリアカバーとを示す図である。
【図４】従来の携帯電話の一部分の背面と、その背面に設けられた電池室に装填される電池と、その電池室を塞ぐリアカバーとを示す図である。
【図５】図４に示す携帯電話の電池室に電池が装填された状態と、装着者のリアカバーを示す図である。
【符号の説明】
１１  電池室
１２  ネジ止め部
１３  ネジキャップ
１４  装着部
２０  電池
３０  リアカバー
１００  携帯電話
１１０  上部
１１０Ａ  背面側の板状部材
１１０Ｂ  前面側の板状部材
１２０  下部
１２０Ａ  背面側の板状部材
１２０Ｂ  前面側の板状部材
１２３  電池室
１２４  媒体装着部
１２５  ネジ止め部
１２６  ネジキャップ
１４０  リアカバー
２００  電池
【図１】
2005005200.tif 000003
【図２】
2005005200.tif 000004
【図３】
2005005200.tif 000005
【図４】
2005005200.tif 000006
【図５】
2005005200.tif 000007